(57)【特許請求の範囲】
【請求項１】
商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板を構成する板の上下方向の少なくとも一方の端部を前記商品通路の反対側に向けて折り返した折り返し部に、前記通路規制板の前記商品通路の反対側の面と前記通路規制板の左側部から右側部まで左右方向に連続して略密着する重ね部を有し、前記重ね部の左右端部が前記通路規制板の本体から左右方向に突出した突出部と略密着して一体となり前記係合部を形成することを特徴とする自動販売機の商品収納装置。
【請求項２】
前記重ね部は前記折り返し部をさらに折り曲げて３重構造としたことを特徴とする請求項１に記載の自動販売機の商品収納装置。
【請求項３】
折り返し部分を略Ｕ曲げで形成し隙間を設けたことを特徴とする請求項１または２に記載の自動販売機の商品収納装置。
【請求項４】
係合部が位置する通路規制板に凹部を形成し、前記係合部を前記凹部に配置したことを特徴とする請求項１から３のいずれか一項に記載の自動販売機の商品収納装置。
【請求項５】
通路規制板の上下方向の中間部の左右両側部に係合爪を設けたことを特徴とする請求項１から４のいずれか一項に記載の自動販売機の商品収納装置。
【請求項６】
通路規制板の上下方向の中間部の通路側に凸形状の商品保持部と、前記通路規制板を折り曲げて重ねることにより略上下端に設けた重ね部との間に、上下方向に連続するビードを配したことを特徴とする請求項１から５のいずれか一項に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路では、缶、瓶またはＰＥＴ容器などの様々な外径の商品が横になった状態で縦列に収納することが必要であり、太径、細径、極細径の商品を販売する商品通路は、商品通路の下端に設けられた商品搬出装置と対向して設けられた通路規制板を前後に動かすことで販売できるようになっているが、販売の大半を占める太径と細径の商品だけを販売する商品通路は、通路規制板を動かすことなく販売できるため、固定された構成となっている（例えば、特許文献１参照）。
【０００３】
図８は特許文献１に記載された従来の自動販売機の商品収納装置の商品搬出装置と通路規制板を示す側面図である。
【０００４】
図９は特許文献１に記載された従来の自動販売機の商品収納装置の通路規制板を示す正面図である。
【０００５】
図８、図９に示すように、従来の商品収納装置は、商品の側面を水平にして商品を上下方向に収納する商品通路１０１と、商品通路１０１を形成する左右に対向する２つの側板１０２と、側板１０２間に形成される商品通路１０１の下端に商品を１本ずつ払い出す商品搬出装置１０３と対向して設けられる通路規制板１０４と、通路規制板１０４の両側部に設けられた係止爪１０５、固定爪１０６と、側板１０２に設けられた係止爪１０５、固定爪１０６が挿通される開口穴１０７とで構成されており、固定爪１０６を開口穴１０７に挿通後、側板１０２の外表面と当接するように固定爪１０６を折り曲げることで、通路規制板を所定の位置に固定でき、太径と細径の商品の販売を可能にしたものである。
【先行技術文献】
【特許文献】
【０００６】
【特許文献１】特開２００６−２５２０２６号公報
【発明の概要】
【発明が解決しようとする課題】
【０００７】
しかしながら、上記従来の構成では、側板１０２の開口穴１０７へ挿通される通路規制板１０４の係止爪１０５と固定爪１０６に販売する際に積み上げられた商品の荷重がすべて集中するため、変形して商品通路１０１が広がり、商品が保持できない、または、通路規制板１０４が外れるので通路規制板１０４と係止爪１０５、及び、固定爪１０６は厚い鋼板を切断し一体で形成されており、材料の使用量が非常に多いという課題を有していた。
【０００８】
本発明は、上記従来の課題を解決するもので、通路規制板を薄い鋼板で構成しても、変形することなく、商品通路寸法を確保し、商品を販売することができる自動販売機の商品収納装置を提供することを目的とする。
【課題を解決するための手段】
【０００９】
上記従来の課題を解決するために、本発明の自動販売機の商品収納装置は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板を構成する板の上下方向の少なくとも一方の端部を前記商品通路の反対側に向けて折り返した折り返し部に、前記通路規制板の前記商品通路の反対側の面と前記通路規制板の左側部から右側部まで左右方向に連続して略密着する重ね部を有し、前記重ね部の左右端部が前記通路規制板の本体から左右方向に突出した突出部と略密着して一体となり前記係合部を形成するものである。
【００１０】
通路規制板を構成する板の上下方向の少なくとも一方の端部を商品通路の反対側に向けて折り返した折り返し部に、前記通路規制板の前記商品通路の反対側の面と前記通路規制板の左側部から右側部まで左右方向に連続して略密着する重ね部を有し、前記重ね部の左右端部が前記通路規制板の本体から左右方向に突出した突出部と略密着して一体となり側板に配した開口穴に挿入係止する係合部を形成することによって、通路規制板および係合部の強度が高まり、通路規制板を薄い鋼板で構成しても、係合部および通路規制板が変形することなく、安定した商品通路寸法を確保することができる。
【発明の効果】
【００１１】
本発明の自動販売機の商品収納装置は、通路規制板および係合部の強度が高まり、通路規制板を薄い鋼板で構成しても、係合部および通路規制板が変形することなく、安定した商品通路寸法を確保することができ、コスト低減を図りながら様々な商品を販売することができる。
【図面の簡単な説明】
【００１２】
【図１】本発明の実施の形態１における自動販売機の商品収納装置の斜視図
【図２】同実施の形態における自動販売機の商品収納装置の通路規制板の斜視図
【図３】同実施の形態における自動販売機の商品収納装置の通路規制板の下部斜視図
【図４】同実施の形態における自動販売機の商品収納装置の通路規制板の上部斜視図
【図５】同実施の形態における自動販売機の商品収納装置の通路規制板の下部詳細図
【図６】同実施の形態における自動販売機の商品収納装置の通路規制板の上部詳細図
【図７】同実施の形態における自動販売機の商品収納装置の通路規制板の要部断面図
【図８】従来の自動販売機の商品収納装置の商品搬出装置と通路規制板を示す側面図
【図９】従来の自動販売機の商品収納装置の通路規制板を示す正面図
【発明を実施するための形態】
【００１３】
請求項１に記載の発明は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板を構成する板の上下方向の少なくとも一方の端部を前記商品通路の反対側に向けて折り返した折り返し部に、前記通路規制板の前記商品通路の反対側の面と前記通路規制板の左側部から右側部まで左右方向に連続して略密着する重ね部を有し、前記重ね部の左右端部が前記通路規制板の本体から左
右方向に突出した突出部と略密着して一体となり前記係合部を形成するものであり、通路規制板および係合部の強度が高まり、通路規制板を薄い鋼板で構成しても、側板に配した開口穴に挿入係止する係合部および通路規制板が変形することなく、安定した商品通路寸法を確保することができ、コスト低減を図りながら様々な商品を販売することができる。
【００１４】
請求項２に記載の発明は、請求項１に記載の発明において、前記重ね部は前記折り返し部をさらに折り曲げて３重構造としたものであり、通路規制板および係合部の強度がさらに高まり、側板に配した開口穴に挿入係止する係合部および通路規制板が変形することなく、安定した商品通路寸法を確保することができ、コスト低減を図りながら様々な商品を販売することができる。
【００１５】
請求項３に記載の発明は、請求項１または２に記載の発明において、折り返し部分を略Ｕ曲げで形成し隙間を設けたものであり、通路規制板の強度を高めることができる。
【００１６】
請求項４に記載の発明は、請求項１から３のいずれか一項に記載の発明において、係合部が位置する通路規制板に凹部を形成し、前記係合部を前記凹部に配置したものであり、凹部の形成により、通路規制板の強度が高められるとともに係合部の強度をさらに高めることができる。
【００１７】
請求項５に記載の発明は、請求項１から４のいずれか一項に記載の発明において、通路規制板の上下方向の中間部の左右両側部に係合爪を設けたものであり、通路規制板のたわみが小さくなり、変形することなく、様々な商品を確実に販売することができる。
【００１８】
請求項６に記載の発明は、請求項１から５のいずれか一項に記載の発明において、通路規制板の上下方向の中間部の通路側に凸形状の商品保持部と、前記通路規制板を折り曲げて重ねることにより略上下端に設けた重ね部との間に、上下方向に連続するビードを配したものであり、さらに通路規制板の強度を高めることができる。
【００１９】
以下、本発明の実施の形態について、図面を参照しながら説明する。なお、この実施の形態によってこの発明が限定されるものではない。
【００２０】
（実施の形態１）
図１は、本発明の実施の形態１における自動販売機の商品収納装置の斜視図である。図２は、同実施の形態における自動販売機の商品収納装置の通路規制板部の斜視図である。図３は、同実施の形態における自動販売機の商品収納装置の通路規制板の下部斜視図である。図４は、同実施の形態における自動販売機の商品収納装置の通路規制板の上部斜視図である。図５は、同実施の形態における自動販売機の商品収納装置の通路規制板の下部詳細図である。図６は、同実施の形態における自動販売機の商品収納装置の通路規制板の上部詳細図である。図７は、同実施の形態における自動販売機の商品収納装置の通路規制板の要部断面図である。
【００２１】
図１から図７において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられ、上端には商品を入れる商品投入口７が設けられている。
【００２２】
通路規制板４の両側部の略上下端の４箇所には突出した係合部５と、側板２には係合部５が挿通係止する開口穴６が設けられている。通路規制板４の略上端の両側部に設けた係合部５について詳述すると、通路規制板４の上端面を商品通路１の反対側に向けて先端がＵ字状になるように隙間９をあけて折り返して、通路規制板４の商品通路１の反対側の面と略密接するように重ね部８を左右方向に形成し、重ね部８の左右端部には本体から突出した突出部１５と略密着して一体となり通路規制板４の両側部から突出した係合部５を形成したものである。
【００２３】
なお、通路規制板４の略下端の両側部に設けた係合部５についても、上端と同様に、通路規制板４の下端面を商品通路１の反対側に向けて先端がＵ字状になるように隙間９をあけて折り返して、通路規制板４の商品通路１の反対側の面と略密接するように重ね部８を左右方向に形成し、重ね部８の左右端部には本体から突出した突出部１５と略密着して一体となり通路規制板４の両側部から突出した係合部５を形成する。
【００２４】
このとき、重ね部８は折り返し部１４をさらに折り曲げて略密着して３重構造とすることで、さらに強度を高めることができる。
【００２５】
また、略下端部は先端がＵ字状になるよう隙間９をあけて折り返し部１４を形成しているが、隙間９は略上端より商品通路１側に凸になるように大きく形成している。
【００２６】
また、略下端部の係合部５が挿通している開口穴６には係合部５を保持する面を大きくするように側板２の外側に凸となるようバーリング１６が設けられている。
【００２７】
また、略下端部の係合部５の重ね部８は先端がＬ字形状になるよう下側から切欠き１７が設けられ、突出部１５は切欠き１７の略中央まで３重に略密着に突出するよう配し、重ね部８のＬ字形状部の先端を開口穴６に挿入後、Ｌ字形状の一部を通路規制板４の左右方向を軸として商品通路１側に略９０°折り曲げて側板２が外れないようにする固定手段１８を有している。
【００２８】
また、係合部５および重ね部８が位置する通路規制板４には左右に連続した凹部１３を有し、係合部５および重ね部８を凹部１３に密着して配置している。
【００２９】
また、通路規制板４の上下方向の中間部に位置する略中央部に商品通路１側に凸となるよう形成する商品保持部１０と、略上下端の連続した重ね部８間に垂直方向に連続した凸となるビード１１が商品通路１と反対側に設けられる。
【００３０】
また、商品保持部１０近傍の両側部には左右に突出した係合爪１２を設け、側板２には挿通係合される開口穴６ａを設けている。そして、係合爪１２の商品通路１と反対側の面が開口穴６ａと略密接するように配置される。なお、係合爪１２の軸線に沿ってビード１９を形成することで、係合爪１２の強度を高めることができる。
【００３１】
以上のように構成された自動販売機の商品収納装置について、以下その動作を説明する。
【００３２】
商品を商品投入口７から入れて、商品を商品投入口７付近まで来るように積み上げ収納する。その後、販売指令により商品搬出装置３が動作し、最下部の商品以外の上に積み上げられた商品を商品搬出装置３と通路規制板４とで保持することで１本ずつ払い出し、商品の販売が可能となる。
【００３３】
以上のように本実施の形態においては、通路規制板４の端部を折り曲げて左右に連続して形成した折り返し部１４をさらに折り曲げて略密着した重ね部８と商品通路１側の通路規制板４から両端に突出させた突出部１５とが略密着して重ね部８を３重構造とすることで、通路規制板４を薄い鋼板で構成しても、左右に連続した重ね部８と突出部１５の３重構造により係合部５の強度が高められ、側板に配した開口穴に挿入係止する係合部が変形することなく、安定した商品通路寸法を確保することができ、コスト低減を図りながら様々な商品を販売することができる。
【００３４】
なお、通路規制板４の両側部に設けた係合部５を通路規制板４の端部を折り曲げて形成した折り返し部１４の両端部を通路規制板４の端面から突出させて、商品通路１側の通路規制板４から両端に突出させた突出部１５とで２重になるよう略密着に形成しても、左右に連続した２重構造により係合部５の強度が高められ、通路規制板４を薄い鋼板で構成しても、側板に配した開口穴に挿入係止する係合部が変形することなく、安定した商品通路寸法を確保することができ、コスト低減を図りながら様々な商品を販売することができる。
【００３５】
また、通路規制板４の上端を商品通路１の反対側に向けて先端がＵ字状になるように隙間９をあけて折り返して、通路規制板４の商品通路１の反対側の面と略密接するように折
り返し部１４を形成しているので、通路規制板４を薄い鋼板で構成しても、通路規制板４の上下端の少なくとも一方の折り返された折り返し部１４、および折り返し部１４に略密着とした重ね部を有し、前記重ね部に連続して形成した係合部５により、通路規制板４および係合部５の強度が高まり、側板２に配した開口穴６に挿入係止する係合部５および通路規制板４が変形することなく、安定した商品通路寸法を確保することができ、コスト低減を図りながら様々な商品を販売することができる。
【００３６】
なお、折り返し部１４に設ける隙間９の寸法、形状は特に限定されるものではなく、必要な強度に応じて設定され、場合によっては設定せず、折り返し部１４全体を略密着曲げで構成して、折り返し部１４全体を重ね部８としてもよい。この場合においても連続して形成した係合部５により、通路規制板４および係合部５の強度が高まり、変形することなく、安定した商品通路寸法を確保することができる。
【００３７】
また、下端部を先端がＵ字状で折り返し、商品通路１側に凸になるよう大きく隙間９をあけて折り返し部１４を形成し、略下端部の係合部５に設けた固定部１８を重ね部８の先端がＬ字形状になるよう下側から切欠き１７を設け、重ね部８のＬ字形状部の先端を開口穴６に挿入後、Ｌ字形状の一部を通路規制板４の左右方向を軸として商品通路１側に略９０°折り曲げて側板２が外れないようにする固定手段１８を有しているので、通路規制板４を薄い鋼板で構成しても、通路規制板４の下端のＵ字状で前後に大きく厚みをもって折り返された折り返し部１４および折り返し部１４に連続して形成した係合部５が形成され、かつ、係合部５先端の固定手段１８が側板２から応力を受ける際に変形しない端面で固定されることで、通路規制板４の下端、及び、係合部５の強度が高まり、側板２に配した開口穴６に挿入係止する係合部５および通路規制板４が変形することなく安定した商品通路寸法を確保することができる。なお、生産や市場でのサービスなどの時に、商品収納装置を持上げる作業が伴うが、その際に通路規制板４の下端を保持部として作業をしても係合部５および通路規制板４が変形することなく作業ができる。
【００３８】
また、略下端部の係合部５が挿通している開口穴６にバーリング１６を形成しているので、通路規制板４を薄い鋼板で構成しても、バーリング１６で係合部５を保持する面を大きくすることで、側板２に配した開口穴６に挿入係止する係合部５および通路規制板４が変形することなく安定した商品通路寸法を確保することができる。なお、略下端部の係合部５に設けた固定手段１８を重ね部８の先端がＬ字形状になるよう下側から切欠き１７を設けて形成しているが、切欠き１７上部の局部的に強度が低下する部分に応力が集中しないように、バーリング１６を設けることで保持面積を大きくし、係合部５および通路規制板４が変形することなく、安定した商品通路寸法を確保することができる。
【００３９】
また、係合部５および重ね部８が位置する通路規制板４には左右に連続した凹部１３を有し、係合部５および重ね部８を凹部１３に密着して配置しているので、通路規制板４の強度が高められ、係合部５の強度をさらに高めることができる。
【００４０】
また、折り返し部１４に隙間９をあけて折り返すことで、加工時のスプリングバックを抑え、通路規制板４の上下端の折り返し部１４の密着性を高めることができる。
【００４１】
また、通路規制板４の上下方向の略中央部の左右に係合爪１２を設けたことにより、薄い鋼板で形成しても商品を保持することにより加わる荷重を係合爪１２の商品通路１と反対側の面が開口穴６ａと当接して受けることで、通路規制板４のたわみを抑制することができ、変形することなく商品を販売することができる。
【００４２】
また、通路規制板４の上下方向の略中央部に通路側に凸形状の商品保持部１０と、略上下端に設けた左右に連続した重ね部８間に連続した上下方向のビード１１を配したことに
より、薄い鋼板で形成しても、商品を保持することにより加わる荷重を連続した上下方向のビード１１が受けるため、変形することなく商品を販売することができる。
【００４３】
なお、従来と同一の大きさで通路規制板４の係合部５を形成することができることにより、従来の側板２が流用可能で通路規制板４を薄い鋼板で形成するだけで良く、投資抑制を図ることもできる。
【産業上の利用可能性】
【００４４】
以上のように本発明にかかる自動販売機の商品収納装置は、通路規制板を薄い鋼板で構成しても、変形することなく、安定した商品通路寸法を確保することができ、コスト低減を図りながら様々な商品を販売することができるので、商品収納装置を備えたあらゆる自動販売機器に適用できる。
【符号の説明】
【００４５】
１  商品通路
２  側板
３  商品搬出装置
４  通路規制板
５  係合部
６  開口穴
６ａ  開口穴
８  重ね部
９  隙間
１０  商品保持部
１１  ビード
１２  係合爪
１３  凹部
１４  折り返し部
１５  突出部
１６  バーリング
１７  切欠き
１８  固定手段
１９  ビード
【図１】
0005444902.tif 000002
【図２】
0005444902.tif 000003
【図３】
0005444902.tif 000004
【図４】
0005444902.tif 000005
【図５】
0005444902.tif 000006
【図６】
0005444902.tif 000007
【図７】
0005444902.tif 000008
【図８】
0005444902.tif 000009
【図９】
0005444902.tif 000010